【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
記録媒体に画像を形成する電子写真画像形成装置の装置本体に着脱可能なプロセスカートリッジであって、
電子写真感光体ドラムと、
前記電子写真感光体ドラムに作用するプロセス手段と、
プロセスカートリッジが前記装置本体に装着された際に、前記装置本体に設けられた断面が多角形のねじれた穴と嵌合するための、前記電子写真感光体ドラムの長手方向の一端に設けられた多角形の突起と、
を有して、
プロセスカートリッジが装置本体に装着された際に、前記多角柱の突起と前記多角形の穴とが嵌合した後に前記多角形の穴が回転すると、前記穴に前記突起が引き込まれて、前記プロセスカートリッジの前記電子写真感光体ドラムの長手方向の側端部分が前記装置本体の規制部材に当接して前記プロセスカートリッジの前記電子写真感光体ドラムの長手方向の前記装置本体に対する位置決めがなされるように構成されたことを特徴とするプロセスカートリッジ。
【請求項２】
前記プロセスカートリッジの前記電子写真感光体ドラムの長手方向の側端部分が前記装置本体の規制部材に当接して、前記プロセスカートリッジの前記電子写真感光体ドラムの長手方向の前記装置本体に対する位置決めがなされた際に、前記多角柱の突起の先端面部分は前記多角形の穴の底面部分に達しておらず、前記突起には更に前記穴に引き込まれる引き込み力が作用していることを特徴とする請求項１に記載のプロセスカートリッジ。
【請求項３】
前記多角柱はねじれた略三角柱であり、また、前記多角形の穴はねじれた略三角形の穴であることを特徴とする請求項１に記載のプロセスカートリッジ。
【請求項４】
プロセスカートリッジを着脱可能で、記録媒体に画像を形成するための電子写真画像形成装置において、
ａ、モータと、
ｂ、前記モータからの駆動力の伝達を受けて回転する、断面が多角形のねじれた穴と、
ｃ、前記プロセスカートリッジの側端部分と当接可能な規制部材と、
ｄ、電子写真感光体ドラムと、
前記電子写真感光体ドラムに作用するプロセス手段と、
プロセスカートリッジが前記装置本体に装着された際に、前記装置本体に設けられた断面が多角形のねじれた穴と嵌合するための、前記電子写真感光体ドラムの長手方向の一端に設けられたねじれた多角柱の突起と、
を有して、
プロセスカートリッジが装置本体に装着された際に、前記多角柱の突起と前記多角形の穴とが嵌合した後に前記多角形の穴が回転すると、前記穴に前記突起が引き込まれて、前記プロセスカートリッジの前記電子写真感光体ドラムの長手方向の側端部分が前記装置本体の規制部材に当接して前記プロセスカートリッジの前記電子写真感光体ドラムの長手方向の前記装置本体に対する位置決めがなされるように構成されたプロセスカートリッジを取り外し可能に装着するための装着手段と、
ｅ、前記穴と前記突起とを、前記電子写真感光体ドラムの長手方向に対して、相対的に移動させるための移動手段と、
ｆ、前記記録媒体を搬送するための搬送手段と、
を有して、
前記プロセスカートリッジが装置本体に装着された際に、前記多角柱の突起と前記多角形の穴とが嵌合した後に前記多角形の穴が回転すると、前記穴に前記突起が引き込まれて、前記プロセスカートリッジの前記電子写真感光体ドラムの長手方向の側端部分が前記規制部材に当接して前記プロセスカートリッジの前記電子写真感光体ドラムの長手方向の前記装置本体に対する位置決めがなされるように構成されたことを特徴とする電子写真画像形成装置。
【請求項５】
前記移動手段は、前記装置本体に取り付けられており前記装置本体に対して開閉可能な開閉部材を有しており、前記開閉部材が閉じられるのに連動して、前記多角形の穴が移動することによって、前記多角柱の突起と前記多角形の穴は嵌合することを特徴とする請求項４に記載の電子写真画像形成装置。
【請求項６】
前記装置本体には、前記モータからの駆動力の伝達を受けるための装置本体の回転体が設けられており、前記穴は前記装置本体の回転体の中心に設けられている、そして、前記穴は前記装置本体の回転体と一体に回転することを特徴とする請求項４または５に記載の電子写真画像形成装置。
【請求項７】
前記多角柱はねじれた略三角柱であり、また、前記多角形の穴はねじたれ略三角形の穴であることを特徴とする請求項４または６に記載の電子写真画像形成装置。
【請求項８】
前記回転体とは回転軸を中心に有するギアである請求項６に記載の電子写真画像形成装置。
【請求項９】
前記回転体とは回転軸を中心に有するタイミングプーリである請求項６に記載の電子写真画像形成装置。
【請求項１０】
前記回転体とは回転軸を中心に有するチェンホイルである請求項６に記載の電子写真画像形成装置。
【請求項１１】
前記ギアは回転により前記穴が前記多角柱の方向へ推力を生ずるねじれ方向を有するはす歯ギアである請求項８に記載の画像形成装置。
【請求項１２】
前記ギアと前記回転軸は一体である請求項８または１１に記載の電子写真画像形成装置。
【請求項１３】
前記回転軸は前記ギアに対して軸方向移動自在で回転方向にはギアと一体に回転するように嵌合している請求項８または１１に記載の電子写真画像形成装置。
【請求項１４】
記録媒体に画像を形成する電子写真画像形成装置の装置本体に着脱可能なプロセスカートリッジであって、
電子写真感光体ドラムと、
前記電子写真感光体ドラムに作用するプロセス手段と、
プロセスカートリッジが前記装置本体に装着された際に、前記装置本体に設けられたねじれた多角柱の突起と嵌合するための、前記電子写真感光体ドラムの長手方向の一端に設けられた断面が多角形のねじれた穴と、
を有して、
プロセスカートリッジが装置本体に装着された際に、前記多角柱の突起と前記多角形の穴とが嵌合した後に前記多角柱の突起が回転すると、前記突起に前記穴が引き込まれて、前記プロセスカートリッジの前記電子写真感光体ドラムの長手方向の側端部分が前記装置本体の規制部材に当接して前記プロセスカートリッジの前記電子写真感光体ドラムの長手方向の前記装置本体に対する位置決めがなされるように構成されたことを特徴とするプロセスカートリッジ。
【請求項１５】
前記プロセスカートリッジの前記電子写真感光体ドラムの長手方向の側端部分が前記装置本体の規制部材に当接して、前記プロセスカートリッジの前記電子写真感光体ドラムの長手方向の前記装置本体に対する位置決めがなされた際に、前記多角形の穴の底面部分は前記多角柱の突起の先端面部分に達しておらず、前記穴には更に前記突起に引き込まれる引き込み力が作用していることを特徴とする請求項１４に記載のプロセスカートリッジ。
【請求項１６】
前記多角柱はねじれた略三角柱であり、また、前記多角形の穴はねじれた略三角形の穴であることを特徴とする請求項１４に記載のプロセスカートリッジ。
【請求項１７】
プロセスカートリッジを着脱可能で、記録媒体に画像を形成するための電子写真画像形成装置において、
ａ、モータと、
ｂ、前記モータからの駆動力の伝達を受けて回転する、ねじれた多角柱の突起と、
ｃ、前記プロセスカートリッジの側端部分と当接可能な規制部材と、
ｄ、電子写真感光体ドラムと、
前記電子写真感光体ドラムに作用するプロセス手段と、
プロセスカートリッジが前記装置本体に装着された際に、前記装置本体に設けられたねじれた多角柱の突起と嵌合するための、前記電子写真感光体ドラムの長手方向の一端に設けられた断面が多角形のねじれた穴と、
を有して、
プロセスカートリッジが装置本体に装着された際に、前記多角柱の突起と前記多角形の穴とが嵌合した後に前記多角柱の突起が回転すると、前記突起に前記穴が引き込まれて、前記プロセスカートリッジの前記電子写真感光体ドラムの長手方向の側端部分が前記装置本体の規制部材に当接して前記プロセスカートリッジの前記電子写真感光体ドラムの長手方向の前記装置本体に対する位置決めがなされるように構成されたプロセスカートリッジを取り外し可能に装着するための装着手段と、
ｅ、前記穴と前記突起とを、前記電子写真感光体ドラムの長手方向に対して、相対的に移動させるための移動手段と、
ｆ、前記記録媒体を搬送するための搬送手段と、
を有して、
前記プロセスカートリッジが装置本体に装着された際に、前記多角柱の突起と前記多角形の穴とが嵌合した後に前記多角柱の突起が回転すると、前記突起に前記穴が引き込まれて、前記プロセスカートリッジの前記電子写真感光体ドラムの長手方向の側端部分が前記規制部材に当接して前記プロセスカートリッジの前記電子写真感光体ドラムの長手方向の前記装置本体に対する位置決めがなされるように構成されたことを特徴とする電子写真画像形成装置。
【請求項１８】
前記移動手段は、前記装置本体に取り付けられており前記装置本体に対して開閉可能な開閉部材を有しており、前記開閉部材が閉じられるのに連動して、前記多角柱の突起が移動することによって、前記多角柱の突起と前記多角形の穴は嵌合することを特徴とする請求項１７に記載の電子写真画像形成装置。
【請求項１９】
前記装置本体には、前記モータからの駆動力の伝達を受けるための装置本体の回転体が設けられており、前記穴は前記装置本体の回転体の中心に設けられている、そして、前記突起は前記装置本体の回転体と一体に回転することを特徴とする請求項１７または１８に記載の電子写真画像形成装置。
【請求項２０】
前記多角柱はねじれた略三角柱であり、また、前記多角形の穴はねじれた略三角形の穴であることを特徴とする請求項１７または１９に記載の電子写真画像形成装置。
【請求項２１】
前記回転体とは回転軸を中心に有するギアである請求項１９に記載の電子写真画像形成装置。
【請求項２２】
前記回転体とは回転軸を中心に有するタイミングプーリである請求項１９に記載の電子写真画像形成装置。
【請求項２３】
前記回転体とは回転軸を中心に有するチェンホイルである請求項１９に記載の電子写真画像形成装置。
【請求項２４】
前記ギアは回転により前記穴が前記多角柱の方向へ推力を生ずるねじれ方向を有するはす歯ギアである請求項２１に記載の画像形成装置。
【請求項２５】
前記ギアと前記回転軸は一体である請求項２１または２４に記載の電子写真画像形成装置。
【請求項２６】
前記回転軸は前記ギアに対して軸方向移動自在で回転方向にはギアと一体に回転するように嵌合している請求項２１または２４に記載の電子写真画像形成装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本出願に係る第３の発明は 前記多角柱はねじれた略三角柱であり、また、前記多角形の穴はねじれた略三角形の穴であることを特徴とする第１の発明に記載のプロセスカートリッジである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本出願に係る第４の発明は プロセスカートリッジを着脱可能で、記録媒体に画像を形成するための電子写真画像形成装置において、
ａ、モータと、
ｂ、前記モータからの駆動力の伝達を受けて回転する、断面が多角形のねじれた穴と、
ｃ、前記プロセスカートリッジの側端部分と当接可能な規制部材と、
ｄ、電子写真感光体ドラムと、
前記電子写真感光体ドラムに作用するプロセス手段と、プロセスカートリッジが前記装置本体に装着された際に、前記装置本体に設けられた断面が多角形のねじれた穴と嵌合するための、前記電子写真感光体ドラムの長手方向の一端に設けられたねじれた多角柱の突起と、を有して、プロセスカートリッジが装置本体に装着された際に、前記多角柱の突起と前記多角形の穴とが嵌合した後に前記多角形の穴が回転すると、前記穴に前記突起が引き込まれて、前記プロセスカートリッジの前記電子写真感光体ドラムの長手方向の側端部分が前記装置本体の規制部材に当接して前記プロセスカートリッジの前記電子写真感光体ドラムの長手方向の前記装置本体に対する位置決めがなされるように構成されたプロセスカートリッジを取り外し可能に装着するための装着手段と、
ｅ、前記穴と前記突起とを、前記電子写真感光体ドラムの長手方向に対して、相対的に移動させるための移動手段と、
ｆ、前記記録媒体を搬送するための搬送手段と、を有して、前記プロセスカートリッジが装置本体に装着された際に、前記多角柱の突起と前記多角形の穴とが嵌合した後に前記多角形の穴が回転すると、前記穴に前記突起が引き込まれて、前記プロセスカートリッジの前記電子写真感光体ドラムの長手方向の側端部分が前記規制部材に当接して前記プロセスカートリッジの前記電子写真感光体ドラムの長手方向の前記装置本体に対する位置決めがなされるように構成されたことを特徴とする電子写真画像形成装置である。
【手続補正７】
【補正対象書類名】明細書
【補正対象項目名】００１３
【補正方法】変更
【補正の内容】
【００１３】
本出願に係る第５の発明は 前記移動手段は、前記装置本体に取り付けられており前記装置本体に対して開閉可能な開閉部材を有しており、前記開閉部材が閉じられるのに連動して、前記多角形の穴が移動することによって、前記多角柱の突起と前記多角形の穴は嵌合することを特徴とする第４の発明に記載の電子写真画像形成装置である。
【手続補正８】
【補正対象書類名】明細書
【補正対象項目名】００１４
【補正方法】変更
【補正の内容】
【００１４】
本出願に係る第６の発明は 前記装置本体には、前記モータからの駆動力の伝達を受けるための装置本体の回転体が設けられており、前記穴は前記装置本体の回転体の中心に設けられている、そして、前記穴は前記装置本体の回転体と一体に回転することを特徴とする第４または第５の発明に記載の電子写真画像形成装置である。
【手続補正９】
【補正対象書類名】明細書
【補正対象項目名】００１５
【補正方法】変更
【補正の内容】
【００１５】
本出願に係る第７の発明は 前記多角柱はねじれた略三角柱であり、また、前記多角形の穴はねじたれ略三角形の穴であることを特徴とする第４または第６の発明に記載の電子写真画像形成装置である。
【手続補正１０】
【補正対象書類名】明細書
【補正対象項目名】００１６
【補正方法】変更
【補正の内容】
【００１６】
本出願に係る第８の発明は 前記回転体とは回転軸を中心に有するギアである第６の発明に記載の電子写真画像形成装置である。
【手続補正１１】
【補正対象書類名】明細書
【補正対象項目名】００１７
【補正方法】変更
【補正の内容】
【００１７】
本出願に係る第９の発明は 前記回転体とは回転軸を中心に有するタイミングプーリである第６の発明に記載の電子写真画像形成装置である。
【手続補正１２】
【補正対象書類名】明細書
【補正対象項目名】００１８
【補正方法】変更
【補正の内容】
【００１８】
本出願に係る第１０の発明は 前記回転体とは回転軸を中心に有するチェンホイルである第６の発明に記載の電子写真画像形成装置である。
【手続補正１３】
【補正対象書類名】明細書
【補正対象項目名】００１９
【補正方法】変更
【補正の内容】
【００１９】
本出願に係る第１１の発明は前記ギアは回転により前記穴が前記多角柱の方向へ推力を生ずるねじれ方向を有するはす歯ギアである第８の発明に記載の画像形成装置である。
【手続補正１４】
【補正対象書類名】明細書
【補正対象項目名】００２０
【補正方法】変更
【補正の内容】
【００２０】
本出願に係る第１２の発明は前記ギアと前記回転軸は一体である第８または第１１の発明に記載の電子写真画像形成装置である。
【手続補正１５】
【補正対象書類名】明細書
【補正対象項目名】００２１
【補正方法】変更
【補正の内容】
【００２１】
本出願に係る第１３の発明は前記回転軸は前記ギアに対して軸方向移動自在で回転方向にはギアと一体に回転するように嵌合している第８または第１１の発明に記載の電子写真画像形成装置である。
【手続補正１６】
【補正対象書類名】明細書
【補正対象項目名】００２２
【補正方法】変更
【補正の内容】
【００２２】
本出願に係る第１４の発明は記録媒体に画像を形成する電子写真画像形成装置の装置本体に着脱可能なプロセスカートリッジであって、電子写真感光体ドラムと、前記電子写真感光体ドラムに作用するプロセス手段と、プロセスカートリッジが前記装置本体に装着された際に、前記装置本体に設けられたねじれた多角柱の突起と嵌合するための、前記電子写真感光体ドラムの長手方向の一端に設けられた断面が多角形のねじれた穴と、を有して、プロセスカートリッジが装置本体に装着された際に、前記多角柱の突起と前記多角形の穴とが嵌合した後に前記多角柱の突起が回転すると、前記突起に前記穴が引き込まれて、前記プロセスカートリッジの前記電子写真感光体ドラムの長手方向の側端部分が前記装置本体の規制部材に当接して前記プロセスカートリッジの前記電子写真感光体ドラムの長手方向の前記装置本体に対する位置決めがなされるように構成されたことを特徴とするプロセスカートリッジである。
【手続補正１７】
【補正対象書類名】明細書
【補正対象項目名】００２３
【補正方法】変更
【補正の内容】
【００２３】
本出願に係る第１５の発明は前記プロセスカートリッジの前記電子写真感光体ドラムの長手方向の側端部分が前記装置本体の規制部材に当接して、前記プロセスカートリッジの前記電子写真感光体ドラムの長手方向の前記装置本体に対する位置決めがなされた際に、前記多角形の穴の底面部分は前記多角柱の突起の先端面部分に達しておらず、前記穴には更に前記突起に引き込まれる引き込み力が作用していることを特徴とする第１４の発明に記載のプロセスカートリッジである。
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
本出願に係る第１６の発明は前記多角柱はねじれた略三角柱であり、また、前記多角形の穴はねじれた略三角形の穴であることを特徴とする第１４の発明に記載のプロセスカートリッジである。
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】変更
【補正の内容】
【００２８】
本出願に係る第１７の発明はプロセスカートリッジを着脱可能で、記録媒体に画像を形成するための電子写真画像形成装置において、
ａ、モータと、
ｂ、前記モータからの駆動力の伝達を受けて回転する、ねじれた多角柱の突起と、
ｃ、前記プロセスカートリッジの側端部分と当接可能な規制部材と、
ｄ、電子写真感光体ドラムと、
前記電子写真感光体ドラムに作用するプロセス手段と、プロセスカートリッジが前記装置本体に装着された際に、前記装置本体に設けられたねじれた多角柱の突起と嵌合するための、前記電子写真感光体ドラムの長手方向の一端に設けられた断面が多角形のねじれた穴と、を有して、プロセスカートリッジが装置本体に装着された際に、前記多角柱の突起と前記多角形の穴とが嵌合した後に前記多角柱の突起が回転すると、前記突起に前記穴が引き込まれて、前記プロセスカートリッジの前記電子写真感光体ドラムの長手方向の側端部分が前記装置本体の規制部材に当接して前記プロセスカートリッジの前記電子写真感光体ドラムの長手方向の前記装置本体に対する位置決めがなされるように構成されたプロセスカートリッジを取り外し可能に装着するための装着手段と、
ｅ、前記穴と前記突起とを、前記電子写真感光体ドラムの長手方向に対して、相対的に移動させるための移動手段と、
ｆ、前記記録媒体を搬送するための搬送手段と、を有して、前記プロセスカートリッジが装置本体に装着された際に、前記多角柱の突起と前記多角形の穴とが嵌合した後に前記多角柱の突起が回転すると、前記突起に前記穴が引き込まれて、前記プロセスカートリッジの前記電子写真感光体ドラムの長手方向の側端部分が前記規制部材に当接して前記プロセスカートリッジの前記電子写真感光体ドラムの長手方向の前記装置本体に対する位置決めがなされるように構成されたことを特徴とする電子写真画像形成装置である。
【手続補正２３】
【補正対象書類名】明細書
【補正対象項目名】００２９
【補正方法】変更
【補正の内容】
【００２９】
本出願に係る第１８の発明は前記移動手段は、前記装置本体に取り付けられており前記装置本体に対して開閉可能な開閉部材を有しており、前記開閉部材が閉じられるのに連動して、前記多角柱の突起が移動することによって、前記多角柱の突起と前記多角形の穴は嵌合することを特徴とする第１７の発明に記載の電子写真画像形成装置である。
【手続補正２４】
【補正対象書類名】明細書
【補正対象項目名】００３０
【補正方法】変更
【補正の内容】
【００３０】
本出願に係る第１９の発明は前記装置本体には、前記モータからの駆動力の伝達を受けるための装置本体の回転体が設けられており、前記穴は前記装置本体の回転体の中心に設けられている、そして、前記突起は前記装置本体の回転体と一体に回転することを特徴とする第１７または第１８の発明に記載の電子写真画像形成装置である。
【手続補正２５】
【補正対象書類名】明細書
【補正対象項目名】００３１
【補正方法】変更
【補正の内容】
【００３１】
本出願に係る第２０の発明は前記多角柱はねじれた略三角柱であり、また、前記多角形の穴はねじれた略三角形の穴であることを特徴とする第１７または第１９の発明に記載の電子写真画像形成装置である。
【手続補正２６】
【補正対象書類名】明細書
【補正対象項目名】００３２
【補正方法】変更
【補正の内容】
【００３２】
本出願に係る第２１の発明は前記回転体とは回転軸を中心に有するギアである第１９発明に記載の電子写真画像形成装置である。
【手続補正２７】
【補正対象書類名】明細書
【補正対象項目名】００３３
【補正方法】変更
【補正の内容】
【００３３】
本出願に係る第２２の発明は前記回転体とは回転軸を中心に有するタイミングプーリである第１９の発明に記載の電子写真画像形成装置である。
【手続補正２８】
【補正対象書類名】明細書
【補正対象項目名】００３４
【補正方法】変更
【補正の内容】
【００３４】
本出願に係る第２３の発明は前記回転体とは回転軸を中心に有するチェンホイルである第１９の発明に記載の電子写真画像形成装置である。
【手続補正２９】
【補正対象書類名】明細書
【補正対象項目名】００３５
【補正方法】変更
【補正の内容】
【００３５】
本出願に係る第２４の発明は前記ギアは回転により前記穴が前記多角柱の方向へ推力を生ずるねじれ方向を有するはす歯ギアである第２１の発明に記載の画像形成装置である。
【手続補正３０】
【補正対象書類名】明細書
【補正対象項目名】００３６
【補正方法】変更
【補正の内容】
【００３６】
本出願に係る第２５の発明は前記ギアと前記回転軸は一体である第２１または第２４の発明に記載の電子写真画像形成装置である。
【手続補正３１】
【補正対象書類名】明細書
【補正対象項目名】００３７
【補正方法】変更
【補正の内容】
【００３７】
本出願に係る第２６の発明は前記回転軸は前記ギアに対して軸方向移動自在で回転方向にはギアと一体に回転するように嵌合している第２１または第２４の発明に記載の電子写真画像形成装置である。
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】０２４４
【補正方法】変更
【補正の内容】
【０２４４】
本発明では、カップリング凹軸３９ｂが前進端において、外カム３５の背部端面に大ギア４３の側面が当接することにより、カップリング凹軸３９ｂの前進端の位置が決まり凹部底面３９ａ１の位置は定まる。そして凸部３７ａと凹部３９ａが夫々ねじれた略正三角柱と断面略正三角形のねじれた穴であることにより、駆動時引き寄せられる。これにより上述したように感光体ドラム７はプロセスカートリッジＢの部材を介してまたは直接装置本体１４側の部材と当接し駆動時の感光体ドラム７の軸方向位置が一定に定まる。
【手続補正３５】
【補正対象書類名】明細書
【補正対象項目名】０２５５
【補正方法】削除
【補正の内容】